(57)【要約】【課題】長時間使用してもスケールやごみなどの不純物による、熱交換効率の低下や、流路の閉塞などが生じない流体加熱装置を有する洗浄装置を提供する。【解決手段】通水制御手段が、流体加熱装置３０が洗浄水を加熱する際の最大通水量より多い流量を流体加熱装置３０に通水する、または、洗浄水を加熱しない状態で流体加熱装置３０に通水することで、流体加熱装置３０内に付着または沈殿する水垢やスケールあるいはゴミなどの不純物を除去する不純物除去制御を有することにより、流体加熱装置３０内の不純物を除去することで、スケールの堆積やゴミの沈殿などによる不具合を回避することができる。【選択図】図１
2006326140.tif 000002
【特許請求の範囲】
【請求項１】
衣類や食器などを洗浄する洗浄槽と、前記洗浄槽に加熱された水を供給するための流体加熱装置と、前記流体加熱装置への通水量を制御する通水制御手段とを有し、前記通水制御手段は、前記流体加熱装置が洗浄水を加熱する際の最大通水量より多い流量を前記流体加熱装置に通水する洗浄装置。
【請求項２】
衣類や食器などを洗浄する洗浄槽と、前記洗浄槽に加熱された水を供給するための流体加熱装置と、前記流体加熱装置への通水量を制御する通水制御手段とを有し、前記通水制御手段は、前記流体加熱手段の流体加熱をせずに前記流体加熱手段に通水するようにした洗浄装置。
【請求項３】
不純物除去制御によって、流体加熱装置から排出された水を、洗浄槽に供給せずに外部へ排出する請求項１または２記載の洗浄装置。
【請求項４】
不純物除去制御によって、流体加熱装置から排出された水を、洗浄槽に供給し、衣類や食器の洗浄に用いる請求項１または２記載の洗浄装置。
【請求項５】
流体加熱装置と洗浄槽の間に、不純物を流路から取り除く不純物除去手段を有する請求項４記載の洗浄装置。
【請求項６】
流体加熱装置への流路の上流に、前記流路へ空気を供給する空気混入手段を有する請求項１から５のいずれか１項記載の洗浄装置。
【請求項７】
通水制御手段は、断続的に流体加熱装置へ通水する請求項１から６のいずれか１項記載の洗浄装置。
【請求項８】
流体加熱装置は、洗浄水が前記流体加熱装置内を流れる間に洗浄水の温度を所定温度まで加熱する瞬間式の加熱装置である請求項１から７のいずれか１項記載の洗浄装置。
【請求項９】
流体加熱装置は、セラミックヒータを用いて洗浄水を加熱する請求項１から８のいずれか１項記載の洗浄装置。
【請求項１０】
流体加熱装置は、シーズヒータを用いて洗浄水を加熱する請求項１から８のいずれか１項記載の洗浄装置。
【請求項１１】
シーズヒータは、略直線状である請求項１０に記載の洗浄装置。
【発明の詳細な説明】
【技術分野】
【０００１】
本発明は、衣服や食器を洗浄する衣類洗浄装置や食器洗い洗浄装置に関するものである。
【背景技術】
【０００２】
従来、この種の洗濯機は、図９に示すように、洗濯槽１に給水する給水路２に、給水を加熱するヒータ３を設け、給水路２の給水弁４を開いて給水する際にヒータ３に通電するようにしている（例えば、特許文献１参照）。
【０００３】
上記構成において、給水中にヒータ３が駆動され、洗濯槽１内への水温を暖めることによって、洗浄効果を高めた洗濯を実現する構成としているものである。
【０００４】
また、洗浄装置の流体加熱装置としては、図１０に示すように、円筒状の基材パイプ６と外筒７からなる二重管構造をしている。そして、基材パイプ６の外面の一部には発熱体８が設けられている。また、基材パイプ６の内孔９には、螺旋中子１０が挿入されている（例えば、特許文献２参照）。
【０００５】
上記構成において、流体としての水は、基材パイプ６の内孔９を流れるものであり、その際、水は基材パイプ６の内孔９に挿入された螺旋中子１０のねじ山１１に沿って流れるものであり、その間に発熱体８からの熱と熱交換されて水が所定温度に加熱されるものである。このように、螺旋中子１０のねじ山１１によって水が螺旋状に流れることで、見かけ上の流路断面積が狭くなるため、流速が上がる。その結果、水の流れが乱流化するため、水道水中に含まれるカルシウム成分などのスケールが発熱体８に付着する量を低減することができる。
【特許文献１】特開平２−１８３８９号公報
【特許文献２】特開２００１−２７９７８６号公報
【発明の開示】
【発明が解決しようとする課題】
【０００６】
しかしながら、前記従来の構成の流体加熱装置では、スケール付着量の低減は可能であるが、長時間使用すると、熱交換器内にスケールが堆積して熱交換効率が悪くなったり、さらにスケールが堆積していくと、流路を塞ぎ、水が流れなくなり、空焚き状態になったりする可能性があるという課題を有していた。
【０００７】
本発明は、前記従来の課題を解決するもので、熱交換器内に付着したスケールなどの不純物を除去することを目的とする。
【０００８】
前記従来の課題を解決するために、本発明の洗浄装置は、流体加熱装置内に付着または沈殿または堆積する水垢やスケールあるいはゴミなどの不純物を除去することが可能な洗浄装置を提供することを目的とする。
【課題を解決するための手段】
【０００９】
前記従来の課題を解決するために、本発明の洗浄装置は、衣類や食器などを洗浄する洗浄槽と、前記洗浄槽に加熱された水を供給するための流体加熱装置と、前記流体加熱装置への通水量を制御する通水制御手段とを有し、前記通水制御手段は、前記流体加熱装置が洗浄水を加熱する際の最大通水量より多い流量を前記流体加熱装置に通水する、または前記流体加熱手段の流体加熱をせずに前記流体加熱手段に通水するようにしたものである。
【００１０】
よって、流体加熱装置内に付着または沈殿する水垢やスケールあるいはゴミなどの不純物を除去する不純物除去制御を有するものである。  これによって、流体加熱装置内の不純物を除去することで、スケールの堆積やゴミの沈殿などによる不具合を回避することができる。
【発明の効果】
【００１１】
本発明の流体加熱装置は、不純物除去制御を有することで、流体加熱装置内に付着または沈殿、堆積する水垢やスケールあるいはゴミなどの不純物を除去することができるため、流体加熱装置および洗浄装置の長寿命化を実現することができる。
【発明を実施するための最良の形態】
【００１２】
第１の発明は、衣類や食器などを洗浄する洗浄槽と、前記洗浄槽に加熱された水を供給するための流体加熱装置と、前記流体加熱装置への通水量を制御する通水制御手段とを有し、前記通水制御手段は、前記流体加熱装置が洗浄水を加熱する際の最大通水量より多い流量を前記流体加熱装置に通水するようにしたものである。すなわち、前記流体加熱装置内に付着または沈殿する水垢やスケールあるいはゴミなどの不純物を除去する不純物除去制御を有するものである。よって、通常の加熱時のような量よりも大量の水で勢い良く流体加熱装置内に通水することで、流体加熱装置内に不純物が付着や沈殿、堆積しても、効果的にその不純物を流体加熱装置外に除去することが可能であるため、スケールなどの不純物の堆積による熱交換効率の低下や、流路詰まりなどを防止することができるので、洗浄装置の長寿命化を実現することができる。
【００１３】
第２の発明は、衣類や食器などを洗浄する洗浄槽と、前記洗浄槽に加熱された水を供給するための流体加熱装置と、前記流体加熱装置への通水量を制御する通水制御手段とを有し、前記通水制御手段は、前記流体加熱装置が洗浄水を加熱しない状態で前記流体加熱装置に通水することで、流路内表面、とくにヒータ表面の温度が加熱時は高温であるが、加熱しないと水流により冷却され、この温度変化により、前記流体加熱装置内に付着または沈殿する水垢やスケールあるいはゴミなどの不純物を除去する不純物除去を行う。加熱時との温度差により、流路に付着したスケールを剥離させることが可能であるため、流体加熱装置内の特にヒータ表面にスケールが付着しても、効果的にそのスケールを流体加熱装置外に除去することが可能であるため、スケールの堆積による熱交換効率の低下や、流路詰まりなどを防止することができる。また、加熱しないので、エネルギーを節約することもできる。
【００１４】
第３の発明は、特に、第１の発明または第２の発明の通水制御手段によって、流体加熱装置から排出された水を、洗浄槽に供給せずに外部へ排出することにより、スケールなどの不純物が洗浄槽に入り、衣類などに付着してしまうなどの課題を解決することができる。
【００１５】
第４の発明は、特に、第１の発明または第２の発明において、流体加熱装置から排出された水を、洗浄槽に供給し、衣類や食器の洗浄に用いることにより、洗浄時に使用する水の量を節水することができる。
【００１６】
第５の発明は、特に、第４の発明の流体加熱装置と洗浄槽の間の流路に、不純物を取り除くための不純物除去手段を有するので、この不純物除去手段により不純物を集めたり、または回収したりして、流路中に混入しないようにすることとなり、剥離した後のスケールなどの不純物が洗浄槽に入り、洗浄中に衣類などに付着してしまうなどの課題を解決することができる。また、取り外し可能な不純物除去手段の構成として、堆積させた不純物を廃棄しやすくし、使用者がメンテナンスしやすい構成とすることものぞましい。
【００１７】
第６の発明は、特に、第１から第５のいずれか１つの発明の流体加熱装置の流路の上流に、前記流路へ空気を供給する空気混入手段を有することにより、流体に空気を混入し、例えば水であれば、水の流れる力だけでなく、気泡を含有したことによって空気の力によっても付着したスケールを剥離することができ、また、少ない水量でも、流速が上がるため、効果的に流体加熱装置内の不純物を流体加熱装置外に除去することが可能である。
【００１８】
第７の発明は、特に、第１から第６のいずれか１つの発明の通水制御手段は、断続的に流体加熱装置へ水を供給することによって、水の勢いに強弱をつけることで、効果的に流体加熱装置内の不純物を流体加熱装置外に除去することが可能である。断続的に通水することに加えて、流体を加圧するなどして、より積極的に流速に強弱を設けるようにするようにしてもよい。
【００１９】
第８の発明は、特に、第１から第７のいずれか１つの発明の流体加熱装置は、洗浄水が前記流体加熱装置内を流れる間に洗浄水の温度を所定温度まで加熱する瞬間式の加熱装置であることによって、使用しない間の放熱ロスを防ぐことが可能であるため、省エネを実現することができる。また、瞬間式の場合、立ち上がり時間を短縮するために、例えば、加熱手段がヒータである場合はワット密度を高めることがあるが、その場合スケール付着量が増加してしまう。しかし、不純物除去制御により、不純物を流体加熱装置外に除去することが可能であるため、スケールなどの不純物の堆積による熱交換効率の低下や、流路詰まりなどを防止することができるので、洗浄装置の長寿命化を実現することができる。
【００２０】
第９の発明は、特に、第１から第８のいずれか１つの発明の流体加熱装置は、セラミックヒータを用いて洗浄水を加熱することにより、応答性の高い流体加熱装置を実現することができる。これは、セラミックヒータの熱容量が小さいからである。また、加工性を向上させるために、セラミックヒータを平板上とし、流路を蛇行流路などの複雑な流路にすることがあるが、その場合でも、不純物除去制御により、不純物を流体加熱装置外に除去することが可能であるため、スケールなどの不純物の堆積による熱交換効率の低下や、流路詰まりなどを防止することができるので、洗浄装置の長寿命化を実現することができる。
【００２１】
第１０の発明は、特に、第１から第８のいずれか１つの発明の流体加熱装置は、シーズヒータであることによって、安価で、振動などに強い流体加熱装置とすることができる。また、応答性を高めるために、シーズヒータのワット密度を高めると、スケール付着量が増加するが、その場合でも、不純物除去制御により、不純物を流体加熱装置外に除去することが可能であるため、スケールなどの不純物の堆積による熱交換効率の低下や、流路詰まりなどを防止することができるので、洗浄装置の長寿命化を実現することができる。
【００２２】
第１１の発明は、特に、第１０の発明のシーズヒータは、略直線状であることにより、内部に気泡がたまらないように洗浄水出口を上方になるように傾斜させて設置しても、不純物除去制御により、不純物を流体加熱装置外に除去することが可能であるため、流体加熱装置下部にスケールやゴミなどの不純物が堆積することが無いため、流路詰まりなどを防止することができるので、洗浄装置の長寿命化を実現することができる。
【００２３】
以下、本発明の実施の形態について、図面を参照しながら説明する。なお、この実施形態によって本発明が限定されるものではない。
【００２４】
（実施の形態１）
図１は、本発明の第１の実施の形態における洗浄装置である洗濯機の構成図を示すものである。
【００２５】
図１において、内槽２１と攪拌翼２２を内設し、洗濯水を貯留する洗浄槽２３、駆動手段であるモータ２４と、モータ２４の回転を内槽２１および攪拌翼２２に選択的に伝える軸受２５と、水を供給する給水口２６と、給水口２６から洗浄槽２３に至る給水経路を主水路２７とバイパス経路２８に分岐する流路切替弁２９とを備え、前記バイパス経路２８の途中に流体加熱装置３０を備えた構成とした。ここで、流体加熱装置３０を、洗浄水が流体加熱装置３０内を流れる間に洗浄水の温度を所定温度まで加熱する、いわゆる「瞬間式」の加熱装置としている。「瞬間式」の加熱装置を用いることによって、洗浄水をあらかじめ加熱しておき、タンクなどに溜めておく、いわゆる「貯湯式」の加熱装置と比較し、小型で、さらに使用しない間の放熱ロスを防ぐことが可能な省エネを実現することができる。
【００２６】
ここで、バイパス経路２８の下流に、排水口３１に連通する排水路３２側と、洗剤投入器３３側とに切り替える切替弁３４を設けている。洗剤投入器３３は、溶けた洗剤が洗剤吐出口３５より吐出する構成になっている。また、洗浄槽２３下部と、バイパス経路２８の流体加熱装置３０上流側とを連通する吸入口３６を設け、入水切替弁３７によって、流体加熱装置３０への給水を水道水からの水と洗浄槽２３からの水とに選択的に切り替える。ここで選択された水は、ポンプ３８により流量制御され、流体加熱装置３０に供給する。また、制御手段３９が水路の切替や流量や温度の調整、および洗濯に関する制御を行っている。
【００２７】
図２は、流体加熱装置３０の構成図である。流体加熱装置３０は、流体としての水を加熱する発熱体としてのシーズヒータ４１と、シーズヒータ４１の外周を囲って流路４２を構成するケース４３と、螺旋状のバネ４４で構成されており、バネ４４の一端はケース４３に固定されている。そして、流入口４５と、流出口４６と、シーズヒータの電極端子４７、４８と、流路をシールするためのOリング４９を備えている。そして、シーズヒータ４１への通電量や流路４２を流れる水の流量は、制御手段（図示せず）によって制御されている。また、図中の矢印Ａは水の流れを示す。
【００２８】
また、図３に示すように、流体加熱装置３０は円筒状に構成し、洗濯機のコーナー部５１に縦方向に設置して省スペース化を図っている。この際、流出口４６が流入口４５よりも上になるように設置することで、気泡がスムーズに流出口４６から排出されるため、気泡によるシーズヒータ４１の局所的な過熱が起こらない。しかし、このように流体加熱装置３０を縦方向に設置した場合、スケールやごみなどの不純物が流体加熱装置３０下部に堆積し、流路を目詰まりさせてしまう可能性がある。しかし、本実施の形態では、後述する不純物除去制御により、不純物を流体加熱装置３０外に除去することが可能であるため、装置の長寿命化を実現することができる。また、流路切替弁２９は、給水経路の主水路２７やバイパス経路２８への流量を可変する流量制御弁の機能を兼用するように構成したものである。
【００２９】
以上のように構成された洗濯機について、以下その動作、作用を説明する。
【００３０】
まず、入水切替弁３７によってバイパス経路２８の水が流体加熱装置３０に供給されるように設定する。そして、水道水は給水口２６から供給され、流路切替弁２９によって所定流量に絞られ、バイパス経路２８に供給される。供給された水道水は、入水切替弁３７とポンプ３８を経て流体加熱装置３０に供給され、ここで適温に加熱される。そして、所定温度に加熱された水道水は、切替弁３４によって洗剤投入器３３に送られ、洗剤投入器３３内の洗剤を溶かして洗剤吐出口３５より洗濯槽２３に送り出される。ここで、洗剤を溶かす水道水を流体加熱装置３０によって温めているため、洗剤が溶けやすく、高濃度の洗剤を衣服に染み込ませる予洗い動作を行うことで洗浄力を向上させることができる。
【００３１】
ここで、水道水中にカルシウムなどのスケール成分が多く含まれている場合、水加熱によってシーズヒータ４１表面に、スケールが付着する。このスケールが流体加熱装置３０内に堆積すると、熱交換効率が悪くなる。さらにスケールが堆積していくと、流路４２を塞ぎ、水が流れなくなり、空焚き状態になるため、流体加熱装置３０を破壊する可能性がある。そこで、本実施の形態では、上記予洗い動作の後の本洗浄の際に、所定時間流路切替弁２９によってバイパス経路２８に水を流す不純物除去制御を行う構成としている。
【００３２】
この際、予洗い用などの通常加熱時は、出湯温を所定温度まで上げるため、流量切替弁２９によって、流量を絞る必要がある（例えば、１０℃の水を電力量１０００Ｗで４０℃まで加熱するためには、４７６ｍｌ／分まで流量を絞る必要がある）。しかし、不純物除去制御の際には、出湯温を上げる必要がないため、大量の水を使用することができる。このことにより、大量の水で勢い良く流体加熱装置３０内に通水することで、流体加熱装置３０内に堆積するスケールを、効果的に流体加熱装置３０外に除去することが可能である。
【００３３】
また、この時に、ヒータへの通電を減らす、より好ましくは完全に遮断することにより、シーズヒータ４１およびシーズヒータ４１表面に付着するスケールを冷やすことができる。一般的にシーズヒータ４１の表面部は銅やＳＵＳ、アルミなどの金属で作られているため、熱膨張収縮がほとんど生じないスケールとの熱膨張収縮率の差によって、スケールが応力割れを起こし、シーズヒータ４１から剥離される。よって、流体加熱装置３０内に堆積するスケールを、効果的に流体加熱装置３０外に除去することが可能である。また、電力を節約することで省エネを図ることもできる。
【００３４】
そして、剥離されたスケールを含んだ水は、切替弁３４を通り、排水路３１を通って排水口３２から洗濯機外部に排出されるため、洗浄槽に２３供給せずに外部へ排出することにより、スケールなどの不純物が洗浄２３槽に入り、衣類などに付着してしまうなどの課題を解決することができる。
【００３５】
なお、図４のように流体加熱装置３０の下流に不純物除去手段であるストレーナ５２を設け、不純物除去制御に使用した水を排水せずに洗浄槽２３に供給する構成としてもよい。この場合、不純物除去制御に使用した水を衣類洗浄に有効利用できるため、節水が可能となる。また、その際の水に含まれるシーズヒータ４１から剥離されたスケールは、ストレーナ５２によって除去されるため、スケールなどの不純物が洗浄槽２３に入り、衣類などに付着してしまうことがない。
【００３６】
不純物除去制御後、本洗浄を行うが、この際も、流体加熱装置３０によって水道水を所定温度まで加熱して、洗浄槽２３に供給する温水洗浄動作を行うことにより、温水での洗濯が可能となり、洗浄力を向上させることができる。また、洗濯槽２３に貯まった洗濯水の温度が低い場合は、入水切替弁３７によって洗濯槽２３の洗濯水が流体加熱装置３０に供給されるように設定する。そして、洗濯水はポンプ３８によって流体加熱装置３０に供給され、ここで適温に加熱されて洗濯槽２３に戻るようにして、洗濯槽２３内の水温が所定温度になれば流体加熱装置３０の運転を終了するものである。
【００３７】
さらに、流体加熱装置３０で所定温度（好ましくは５０℃以上、より好ましくは６０℃以上）に加熱した水を洗浄槽２３に供給することで、洗浄槽２３および衣服を加熱消毒して、殺菌や除菌の作用を得る加熱消毒動作を行うことができる。
【００３８】
これら、温水洗浄動作や加熱消毒動作の後にも不純物除去制御を行うことが望ましい。これは、流体加熱装置３０内に付着するスケールのほとんどが洗浄水加熱時に生じるからである。特に、加熱消毒動作時は、加熱させる水の温度が高く、スケールがより付着しやすいため、加熱消毒動作後に不純物除去制御を行うことは効果的である。
【００３９】
ここで、ポンプ３８を図５のようにピストン式のポンプとすることで、水を断続的に流すことが可能となり、水の勢いに強弱をつけることで、流体加熱装置３０内の不純物を流体加熱装置３０外へ効果的に除去することが可能となる。なお、図５に示すピストン式のポンプは、ピストン６１が矢印Ｂのように往復することで、入水口６２から水を吸い込み、出水口６３から水を吸い出す構成となっている。また、入水口６２と出水口６３には逆止弁６４が設けられ、水が逆流しないようになっており、制御手段（図示せず）が、モータ６５を駆動し、ギア６６を介してピストン６１を矢印Ｂのように往復動作させることで、水を、ポンプ３８の下流に設けられた流体加熱装置へ送り込む構成となっている。なお、本実施の形態では、ピストン式のポンプを用いることで水を断続的に供給する構成としたが、プランジャーポンプやダイヤフラムポンプなど、水を断続的に供給するものであれば同様の効果を得ることができる。
【００４０】
また、図６のように、流体加熱装置３０上流に空気供給ポンプ７０を設ける構成としてもよい。この場合、水の流れる力だけでなく、空気の力によっても付着したスケールを剥離することができ、また、少ない水でも、流体加熱装置３０の流路内を流れる水の流速が上がるため、流体加熱装置３０内の不純物を流体加熱装置３０外に効果的に除去することが可能となる。
【００４１】
また、流体加熱装置の加熱源として、シーズヒータ４１の代わりに、図７のようにセラミックヒータ７１を用いてもよい。セラミックヒータは、シーズヒータと比較し、熱容量が小さいため、応答性が高い流体加熱装置を実現することができる。図７において、セラミックヒータ７１を内設するケース７２は、流入口７３および流出口７４を有し、複数のリブ７５によって蛇行状の流路７６を構成している。このように、加工の困難なセラミックヒータ７１を平板上とする一方、流路７６を蛇行状することで、高い加工性と小型化を実現している。しかし、図７のように複雑な蛇行流路構成では、流路７６にスケールやごみなどの不純物が引っかかって排出されない可能性があるという課題を有していた。だが、本実施の形態では、不純物除去制御により、流路７６内に残った不純物を外部に効果的に排出することができるため、前記課題を解決することができる。
【００４２】
このように、本実施の形態の流体加熱装置３０は、不純物除去制御を有することで、流体加熱装置３０内に付着または沈殿する水垢やスケールあるいはゴミなどの不純物を除去することができるため、流体加熱装置３０ひいては洗濯機自体の長寿命化を実現することができる。
【００４３】
特に、本実施の形態のように、流体加熱装置３０を瞬間式とし、装置の小型化を図った場合、短時間で水を加熱する必要があるため、加熱源であるシーズヒータ４１のワット密度を上げる必要がある。そのため、シーズヒータ４１表面の温度が高くなり、スケールの付着量が貯湯式の流体加熱装置と比較して増加するという課題を有していたが、本実施の形態では、不純物除去制御により、不純物を流体加熱装置３０外に除去することにより、この課題を解決することができる。
【００４４】
なお、上記実施の形態では縦型の洗濯洗浄装置の例で説明したが、本発明はこれに限られることなく、たとえば横型あるいは斜め型などのドラム式であっても同様の効果が得られる。
【００４５】
（実施の形態２）
図８は実施の形態２を示す食器洗浄装置の構成図である。
【００４６】
図８において、洗浄槽８１、扉８２により開閉自在とした開口部８３、洗浄槽８１の下方に設け洗浄水を噴出する噴出手段８４および洗浄水を循環させるポンプ８５、洗浄水を溜める水受け８６、食器などの被洗浄物８７を収納する洗浄かご８８、洗浄かご８８を移動可能に支持するレール８９、送風ファン９０、洗浄槽８１の下方に設けた流体加熱装置９１、流体加熱装置９１に給水する給水管９２である。なお、流体加熱装置９１は実施の形態１の図２にて説明したものと同じものを使用しているため、説明は省略する。また、実施の形態１と同様に、流体加熱装置９１を瞬間式とすることにより洗浄水の温度を被洗浄物８７に適した温度に短時間で変更でき、洗浄効果を高めることができるとともに、無駄な高温化を避けて省エネルギー化を促進でき、かつ、小型化を図ることができる。
【００４７】
以上のように構成された食器洗浄装置において、流体加熱装置９１によって温水化された洗浄水は、ポンプ８５の運転により噴出手段８４に圧送されて噴出手段８４から勢いよく噴射される。この噴出手段８４から噴射される洗浄水により洗浄かご８８に収容された食器などの被洗浄物８７を洗浄し、洗浄完了後は洗浄水を排水弁（図示せず）を開いて排水し送風ファン６３の運転による換気で食器などの被洗浄物８７を乾燥させるものである。
【００４８】
この排水動作の際に流体加熱装置９１に通電せずに水を流す、より好ましくは温水化動作時よりも多い流量の水を流す、不純物除去制御を行うことにより、流体加熱装置９１内に付着または沈殿する水垢やスケールあるいはゴミなどの不純物を除去することができるため、流体加熱装置９１ひいては食器洗浄装置自体の長寿命化を実現することができる。
【産業上の利用可能性】
【００４９】
以上のように、本発明にかかる流体加熱装置は、不純物除去制御を行うことにより、流体加熱装置の長寿命化を実現することができるので、洗濯機や食器洗浄装置など加熱された流体を使用する装置の流体加熱装置の用途で適用できる。
【図面の簡単な説明】
【００５０】
【図１】本発明の実施の形態１における洗濯機の構成図
【図２】同流体加熱装置の構成図
【図３】同洗濯機の断面図
【図４】同洗濯機の他の形態を示す構成図
【図５】同ピストンポンプの構成図
【図６】同洗濯機の他の形態を示す構成図
【図７】同流体加熱装置の他の形態を示す構成図
【図８】本発明の実施の形態２における食器洗浄装置の構成図
【図９】第１の従来の流体加熱装置の構成図
【図１０】第２の従来の流体加熱装置の構成図
【符号の説明】
【００５１】
２３  洗浄槽
２９  流路切替弁（通水制御手段）
３０  流体加熱装置
３８  ピストンポンプ（通水制御手段）
４１  シーズヒータ
５２  ストレーナ（不純物除去手段）
７１  セラミックヒータ
７０  空気供給ポンプ（空気混入手段）
９１  流体加熱装置
【図１】
2006326140.tif 000003
【図２】
2006326140.tif 000004
【図３】
2006326140.tif 000005
【図４】
2006326140.tif 000006
【図５】
2006326140.tif 000007
【図６】
2006326140.tif 000008
【図７】
2006326140.tif 000009
【図８】
2006326140.tif 000010
【図９】
2006326140.tif 000011
【図１０】
2006326140.tif 000012